【事件の表示】
　特願２０００−３９７６７２号「誘導加熱調理器」拒絶査定不服審判事件〔平成１４年７月１２日出願公開、特開２００２−１９８１６４号〕について、次のとおり審決する。
【結　論】
　本件審判の請求は、成り立たない。
【理　由】
１．手続の経緯・本願発明
　本願は、平成１２年１２月２７日の出願であって、その請求項１に係る発明は、平成２１年２月６日付けで手続補正された特許請求の範囲の請求項１に記載された次のとおりのものである。（以下「本願発明」という。）
「本体上面に設けた天板の後方に並んで設けた吸気部と排気部と、前記天板の下方で前記吸気部側に設けた吸気部側加熱コイル及び前記排気部側に設けた排気部側加熱コイルと、前記吸気部と通気路で繋がり冷却風を前記吸気部から前記排気部へ前記本体内部で略Ｕ字状に流す冷却ファンと、前記吸気部側加熱コイル及び前記排気部側加熱コイルを駆動する回路ユニットと、前記各加熱コイルの保持台にそれぞれ設けた前記各加熱コイルの端末と前記回路ユニットから引き出した中継リード線を接続する中継端子台とを備え、前記中継端子台を前記各加熱コイルの外周において前記保持台に設けるとともに前記各加熱コイルの２つの端末と前記中継リード線とを前記保持台の上面でねじ止めして接続し、前記排気部側加熱コイルの前記排気部側外形と、前記排気部外形の手前側の前記吸気部側コーナ部とを結ぶ線よりも、前記吸気部側の領域に前記中継端子台を配する構成とした誘導加熱調理器。」
　
２．引用刊行物
（１）引用刊行物１
　これに対して、当審で通知した拒絶の理由に引用され、本願出願前に頒布された特開平１１−８７０３８号公報（以下「引用刊行物１」という。）には、図１〜７とともに以下の事項が記載されている。
ア．「【請求項１】　複数の誘導加熱コイル及びこれらを制御するインバータユニットを備えた上部ユニットと、
ロースタ及び電装品を備え、前記上部ユニットの下方に配設された下部ユニットと、
１個のファンモータと、
このファンモータにより回転される冷却ファンとを具備し、
前記ファンモータにより回転される前記冷却ファンの送風作用により、前記上部ユニットのインバータユニットと前記下部ユニットの電装品とを並列に冷却する構成としたことを特徴とする加熱調理器。
【請求項２】　上部ユニットに、冷却ファンからの風をインバータユニットと複数の誘導加熱コイルとに並列に案内する冷却ダクトを設けたことを特徴とする請求項１記載の加熱調理器。
【請求項３】　冷却ダクトに、冷却ファンからの風を当該冷却ファンから遠い側の誘導加熱コイルへ案内する補助ダクトを設けたことを特徴とする請求項２記載の加熱調理器。」（特許請求の範囲）
イ．「この加熱調理器１は、システムキッチンのキャビネット２に組み込んで使用される構成のものであり、上部ユニット３と、この上部ユニット３の下方に配設された下部ユニット４とから構成されている。
　上部ユニット３は、上面にトッププレート５が配設された矩形状のケース６を備えている。このケース６の内部には、トッププレート５の下面と対向するようにして、２個の誘導加熱コイル７，８が前部の左右に並べて配置されていると共に、１個の中央ヒータ９が後部の中央部に配置されている。
　また、ケース６内の下部における前部の右寄りの部位には、図１及び図３にも示すように、上記２個の誘導加熱コイル７，８を制御するインバータユニット１０が設けられている。」（段落【００１４】〜【００１６】）
ウ．「冷却ダクト１５の右後部にはファンケーシング１６が一体に設けられていて、この冷却ダクト１５内とファンケーシング１６の吐出口１６ａとが連通している。冷却ダクト１５の左側部は開放されている。ファンケーシング１６はケース６の右後部に配置されていて、下部の一部がケース６の底部に形成された開口部１７から下方へ突出している。」（段落【００１７】）
エ．「上記冷却ダクト１５の上部には、補助ダクト３０が一体に設けられていると共に、右側の誘導加熱コイル８の近傍に位置する部位に吐出用開口部３１（図３参照）が形成されている。・・・（中略）・・・補助ダクト３０の吐出口３０ｂは、冷却ファン２１から遠い側の誘導加熱コイルである左側の誘導加熱コイル７の近傍において開口し、吐出用開口部３１は、冷却ファン２１に近い側の誘導加熱コイルである右側の誘導加熱コイル８の近傍において開口している。
　・・・（中略）・・・吸気ダクト３６の上部開口部は吸気口３８となっていて、この吸気口３８の上部には、吸排気カバー３９が配置されている。
　吸気ダクト３６内とファンケーシング１６の上部吸込口２５とは、通気路３４を介して連通しており、また、吸気ダクト３６内の下部とモータ台１８の下部吸込口２６との間も連通している。・・・（中略）・・・
　ケース６において、後面の左側には排気口４３（図２参照）が形成されていると共に、前面の左側に前面排気口４４が形成されている。この場合、前面排気口４４の開口面積は、後部の排気口４３の開口面積よりも小さく設定されている。なお、ケース６は、周囲から図示しない外枠により覆われるようになっていて、ケース６内の排気が前面排気口４４から直接前方へは排出されないようになっている。
　・・・（中略）・・・ロースタ用排気ダクト５４の立上がり部の前面と、上記排気口４３との間には隙間が形成されていて、排気口４３から排出される排気が、その隙間を通って外部へ排出されるようになっている。」（段落【００２０】〜【００２４】）
オ．「次に上記した構成の作用を説明する。誘導加熱コイル７，８の一方または双方が使用される時には、ファンモータ２０が通電される。このファンモータ２０により冷却ファン２１が回転されると、この冷却ファン２１の送風作用により、外部の空気が、吸気口３８から吸気ダクト３６及び通気路３４を通り、上部吸込口２５からファンケーシング１６内に吸入される（図１の矢印Ａ参照）と共に、吸気ダクト３６の下部を通り下部吸込口２６からファンケーシング１６内に吸入される（図１の矢印Ｂ参照）。
　・・・（中略）・・・
　上部ユニット３側へ吐出された空気は、冷却ダクト１５内を流れて、主にインバータユニット２０を冷却しながら、冷却ダクト１５の左側部の開口部からケース６内に吐出され（図１及び図３の矢印Ｃ参照）、・・・（中略）・・・さらに一部は、流入口３０ａから補助ダクト３０内を流れ、吐出口３０ｂから補助ダクト３０外へ出て、左側の誘導加熱コイル７を冷却するように流れる（図１及び図３の矢印Ｅ参照）。
　・・・（中略）・・・
　これらインバータユニット２０、左右の誘導加熱コイル７，８を冷却した空気は、主に通風抵抗が少ない後部の排気口４３から外部へ排出され、一部は前面排気口４４から外部へ排出される。」（段落【００２７】〜【００３１】）
カ．図１及び２には、トッププレート５の後方の右側でほぼ同じの高さに吸気口３８が設けられ、トッププレート５の後方の左側にロースタ用排気ダクト５４の立上がり部が設けられ、トッププレート５の後方で左右に渡って、吸気口３８の上方及びロースタ用排気ダクト５４の立上がり部の上方にスリットを有する吸排気カバー３９が配置される態様が図示され、図２及び３には、ケース６の右後部に配置されているファンケーシング１６に一体に設けられる冷却ダクト１５が、ケース６の右後部から前方に向かい前面で左側へ湾曲し、冷却ダクト１５の上部の補助ダクト３０も同様に湾曲してその左側に吐出口３０ｂを有する態様が図示されている。
　上記ア．〜オ．の記載事項及びカ．の図示内容を総合すると、引用刊行物１には、以下の発明（以下「引用発明１」という。）が記載されていると認められる。
「ケース６の上面に配設されたトッププレート５の後方に、その右側でほぼ同じの高さに設けられた吸気口３８の上方及びケース６の後面の左側に形成された排気口４３と隙間を形成して、トッププレート５の後方の左側に設けられたロースタ用排気ダクト５４の立上がり部の上方にスリットを有する、左右に渡って配置された吸排気カバー３９と、
トッププレート５の下面と対向するようにして、左右に並べて配置されている２個の誘導加熱コイル７，８と、
吸気口３８と吸気ダクト３６で連通し、外部の空気が吸気口３８から吸気ダクト３６を通り、ケース６の右後部から前方に向かい前面で左側へ湾曲する左側部が開放された冷却ダクト１５及び補助ダクト３０内を流れ、左右の誘導加熱コイル７，８を冷却し、主にケース６の後面の左側に形成された排気口４３からロースタ用排気ダクト５４の立上がり部との隙間を通って外部へ排出するように流す送風作用をなす冷却ファン２１と、
左右の誘導加熱コイル７，８を制御するインバータユニット１０とを備えた誘導加熱コイル７，８を有する加熱調理器１。」
　
（２）引用刊行物２
　同じく、引用され、本願出願前に頒布された実願昭５８−１１５８１１号（実開昭６０−２４０９４号）のマイクロフイルム（以下「引用刊行物２」という。）には、第１〜３図とともに以下の事項が記載されている。
ア．「巻線を同一平面上で任意数巻回して形成したコイル（４）を支持部材（５）の表面側に固着した誘導加熱コイルにおいて，コイル（４）の外縁の支持部材（５）に２個のねじ端子（８）を設け，それらに前記コイル（４）の巻き始め（４ａ）と巻き終り（４ｂ）を接続したことを特徴とする誘導加熱コイル。」（実用新案登録請求の範囲）
イ．「従来の電磁調理器の誘導加熱コイルの要部を第１図について説明するに，１は誘導加熱する金属製の鍋２を保持するセラミツクのトツププレートで，その下部には商用電源により駆動し高周波に変換する高周波変換装置３（ブロツク図で示す）に接続される誘導加熱コイル７が設けられている。上記誘導加熱コイル７は絶縁された数十本のエナメル線をより線とした巻線を同一平面上で巻いたコイル４をプラスチック材などからなる支持部材５の表面側に固着して構成され，その端部すなわち第ｌ図における巻き始め４ａと巻き終り４ｂを支持部材５の裏面側に引き出し，前記高周波変換装置３と直接電気的に接続している。このため接続個所が少くなる。ところが，このような誘導加熱コイル７の巻線作業，組立作業などにおいて，巻き始め４ａ，巻き終り４ｂがそのまゝリード線６となり，支持部材５の貫通個所を支点として機械的に屈曲する。また誘導加熱コイルの運搬時においても作業者が持ち運び易いことから前記リード線６を持つ場合が多く，誘導加熱コイルの荷重がすべてリード線６の支持部材５の貫通個所に加わるため機械的ストレスが生じる。さらには梱包時には誘導加熱コイルの完成品を小型の同一箱内に納めて運搬するので，同様に機械的ストレスが印加される。このため電磁調理器本体に組込まれるまでに相当の機械的屈曲が加わり，断線したりする欠点があつた。」（明細書第１頁第１３行〜第２頁第１９行）
ウ．「以下本考案の一実施例を第２図，第３図を参照して説明する。８はねじ端子でコイル４の外縁の支持部材５に，そのねじ８ａが裏面側に位置するように取付ける。取付手段は従来技術を用いる。
　その作用は支持部材５の表面側に固着した加熱コイル４の巻き始め４ａと巻き終り４ｂとを裏面側に引き出し，ねじ８ａによつてリード線６とともに各ねじ端子８に締め付ける。
　以上本考案によれば巻線作業，運搬時において，リード線に機械的ストレスが生じてもねじ端子でそれを受け止めコイルが断線することはない。又ねじ端子がコイルの外縁に設けてあるので磁束への影響が少く，更にねじが支持部材の裏面側に位置しリード線を同時に締付けることができるので，組立時，点検時の作業性が向上する。」（同第３頁第８行〜末行）
　上記ア．〜オ．の記載事項及びカ．の図示内容を総合すると、引用刊行物１には、以下の発明（以下「引用発明２」という。）が記載されていると認められる。
「トツププレート１の下部に設けられた誘導加熱コイル７と、
誘導加熱コイル７に接続される高周波変換装置３と、
誘導加熱コイル７の外縁の支持部材（５）に設けた、加熱コイル４の巻き始め４ａと巻き終り４ｂそれぞれを、リード線６とともにねじ８ａによつて締め付ける、各ねじ端子８とを備え、
誘導加熱コイル７の運搬時において、リード線に機械的ストレスが生じてもねじ端子でそれを受け止めコイルが断線することはなく、又ねじ端子がコイルの外縁に設けてあるので磁束への影響が少ない電磁調理器の誘導加熱コイル７の構成。」
　
（３）引用刊行物３
　同じく、引用され、本願出願前に頒布された実願昭５７−１７９７０６号（実開昭５９−８２９９４号）のマイクロフイルム（以下「引用刊行物３」という。）には、第１〜６図とともに以下の事項が記載されている。
ア．「加熱コイルを支持する加熱コイル台に設けられ、加熱コイルの口出し線を接続すると共に、回路基板からの接続リード線を接続し、前記加熱コイルの口出し線と前記回路基板からの接続リード線とを接続する電磁調理器加熱コイルの口出し線と回路基板との接続装置。」（実用新案登録請求の範囲）
イ．「従来の電磁調理器の加熱コイル（１）と回路基板（２）の接続リード線（３）との接続は、第１図、第２図、第３図に示されている如く熱板（４）、側板（５）、底板（６）とで形成された箱体内に回路基板（２）、加熱コイル（１）、加熱コイル台（７）を収納し、加熱コイル（１）の口出し線（８）を加熱コイル台（７）を挿通させて行なっていた。
　しかし、加熱コイル台（７）を挿通させるとき口出し線（８）を約直角に折り曲げる必要があり、折り曲げたとき加熱コイル（１）のエナメル線を断線させたりエナメル線の被覆に傷がつきレアーショートを生じ加熱コイル（１）の自己発熱が大きくなる欠点があった。」（明細書第２頁第１３〜１８行）
ウ．「第４図、第５図において、（１）は加熱コイル、（７）は加熱コイル台で、加熱コイル（１）の口出し線（８）はその端子（９）を加熱コイル台（７）に設けられた接続装置（１０）に接続される。尚、（３）は回路基板（２）に接続される接続リード線である。
　第６図は第５図のＡ部の要部拡大断面図で、接続装置（１０）は板片が直角に折り曲げられ鉤状になった中継板（１１）の一方の片を加熱コイル台（７）の中継板挿通穴（１２）に挿通させ、中継板（１１）の他方の片に穿設された穴（１３）を加熱コイル台（７）に穿設されたボルト用穴（１４）に合せることにより中継板（１１）を加熱コイル台（７）に接着させ、ボルト（１３）にスプリングワッシャ（１６）、口出し線（８）の端子（９）を装着させ、該ボルト（１５）を加熱コイル台（７）のボルト用穴（１４）に挿通させナット（１７）をボルト（１５）に螺着させ、接続リード線（３）を中継板（１１）の前記一方の片にハンダ付けして成る。
　上記構成による本考案は加熱コイル（１）の口出し線（８）を加熱コイル台（７）に設けられた接続装置（１０）に接続し、該接続装置（１０）に回路基板（２）からの接続リード線（３）を接続しているので、従来の如く加熱コイル（１）の口出し線（８）を加熱コイル台（７）に挿通させるべく直角に折り曲げる必要もなく、加熱コイル（１）のエナメル線の断線、エナメル線の被覆の傷の発生によるエアーショート等のおそれもなく実用上有意義なものである。」（同第２頁末行〜第４頁第５行）
　
３．対比・判断
　本願発明と引用発明１とを対比すると、
後者の「ケース６」は、その機能・構造からみて、前者の「本体」に相当し、以下同様に、後者の「トッププレート５」が前者の「天板」に、後者の「誘導加熱コイル７，８」が前者の「加熱コイル」に、後者の「誘導加熱コイル７，８を制御するインバータユニット１０」が前者の「加熱コイルを駆動する回路ユニット」に、後者の「誘導加熱コイル７，８を有する加熱調理器１」が前者の「誘導加熱調理器」にそれぞれ相当する。
　また、後者は「ケース６の上面に配設されたトッププレート５の後方に、その右側でほぼ同じの高さに設けられた吸気口３８の上方」「にスリットを有する、左右に渡って配置された吸排気カバー３９」を有するものであって、「外部の空気が吸気口３８から吸気ダクト３６を通」るのであるから、この吸気口３８やその上方の吸排気カバー３９のスリットは、前者の「吸気部」に対応するものであり、さらに、後者は「ケース６の後面の左側に形成された排気口４３と隙間を形成して、トッププレート５の後方の左側に設けられたロースタ用排気ダクト５４の立上がり部の上方にスリットを有する、左右に渡って配置された吸排気カバー３９」を有するものであって、「主にケース６の後面の左側に形成された排気口４３からロースタ用排気ダクト５４の立上がり部との隙間を通って外部へ排出する」のであるから、この排気口４３やロースタ用排気ダクト５４の立上がり部との隙間及びその上方のスリットは、前者の「排気部」に対応するものである。そして、上記スリットを有する吸排気カバー３９は「トッププレート５の後方に」「左右に渡って配置され」るものであって、トッププレート５の後方「の右側に設けられた吸気口３８の上方」とその「左側に設けられたロースタ用排気ダクト５４の立上がり部の上方にスリットを有する」ものであるから、後者においても前者と同様に「天板の後方に並んで設けた吸気部と排気部」を有しているといえる。
　後者は「２個の誘導加熱コイル７，８」を「トッププレート５の下面と対向するようにして、左右に並べて配置されている」のであって、「吸気部と排気部」も左右に並んで設けたものであるから、前者と同様に「天板の下方で吸気部側に設けた吸気部側加熱コイル及び排気部側に設けた排気部側加熱コイル」を有するといえる。そうすると、後者の「左右の加熱コイルを駆動する回路ユニット」は前者の「吸気部側加熱コイル及び排気部側加熱コイルを駆動する回路ユニット」に相当する。
　後者の「冷却ファン２１」について、「吸気口３８と吸気ダクト３６で連通し、外部の空気が吸気口３８から吸気ダクト３６を通り、」「主にケース６の後面の左側に形成された排気口４３からロースタ用排気ダクト５４の立上がり部との隙間を通って外部へ排出するように流す送風作用をなす」ことは、前者の「吸気部と通気路で繋がり冷却風を前記吸気部から前記排気部へ」「流す」ことに相当し、後者の「ケース６の右後部から前方に向かい前面で左側へ湾曲する左側部が開放された冷却ダクト１５及び補助ダクト３０内を流れ、左右の誘導加熱コイル７，８を冷却し、主にケース６の後面の左側に形成された排気口４３から」「外部へ排出するように流す送風作用をなす」ことと前者の「前記本体内部で略Ｕ字状に流す」こととは、「本体内部に流す」点で共通する。
　そうすると、両者は、
「本体上面に設けた天板の後方に並んで設けた吸気部と排気部と、前記天板の下方で前記吸気部側に設けた吸気部側加熱コイル及び前記排気部側に設けた排気部側加熱コイルと、前記吸気部と通気路で繋がり冷却風を前記吸気部から前記排気部へ前記本体内部に流す冷却ファンと、前記吸気部側加熱コイル及び前記排気部側加熱コイルを駆動する回路ユニットとを備えた誘導加熱調理器。」である点で一致し、以下の点で相違しているものと認められる。
　
相違点Ａ：冷却ファンにより流す冷却風の本体内部で流れについて、本願発明が「略Ｕ字状に流す」のに対して、引用発明１は「ケース６の右後部から前方に向かい前面で左側へ湾曲する左側部が開放された冷却ダクト１５及び補助ダクト３０内を流れ、左右の誘導加熱コイル７，８を冷却し、主にケース６の後面の左側に形成された排気口４３から」「外部へ排出するように流す」点。
相違点Ｂ：本願発明が「各加熱コイルの保持台にそれぞれ設けた前記各加熱コイルの端末と前記回路ユニットから引き出した中継リード線を接続する中継端子台」を備え、「前記中継端子台を前記各加熱コイルの外周において前記保持台に設けるとともに前記各加熱コイルの２つの端末と前記中継リード線とを前記保持台の上面でねじ止めして接続し、前記排気部側加熱コイルの前記排気部側外形と、前記排気部外形の手前側の前記吸気部側コーナ部とを結ぶ線よりも、前記吸気部側の領域に前記中継端子台を配する構成と」しているのに対して、引用発明１はそのようなものではない点。
　
　そこで、上記相違点について検討する。
（１）相違点Ａについて
　引用発明１は、「ケース６の右後部から前方に向かい前面で左側へ湾曲する左側部が開放された冷却ダクト１５及び補助ダクト３０内を流れ」るのであるから、冷却風は、まず、ケース６を右後ろから前方に向かい前面で左側へ湾曲するように流れる。
　また、排気口４３はケース６の後面の左側に形成されているのであるから、上記冷却風は、その後、左後ろへ流れていくといえる。
　一方、加熱調理器において、このような、後方の一方から前方に向かい、前面で他方に湾曲し、後方の他方に向かう冷却風の流し方は、特開平５−２５１１６５号公報（特に第２図参照）や特開平１１−８７０３９号公報（特に図３参照）、特開平１１−８７０４０号公報（特に図１参照）等にも示されるように、従来、周知でもある。
　そして、上記のような冷却風の流れは、本願発明のいう、「本体内部で略Ｕ字状に流す」流し方と同様といえる。
　そうすると、相違点Ａに関して、本願発明と引用発明１とは実質的に相違するとは認められない。
　
（２）相違点Ｂについて
ア．誘導加熱調理器の天板の下方に設ける加熱コイルについて、加熱コイルを保持台で支持することや保持台にねじ端子で加熱コイルの両端末をねじ止めすることは、引用発明２や引用刊行物３に示されているように周知である。
　また、引用発明２は、運搬時において，リード線に機械的ストレスが生じてもねじ端子でそれを受け止めコイルが断線しないようにするものであり、さらに、ねじ端子がコイルの外縁に設けてあるので磁束への影響を少くするものであるから、引用発明１に引用発明２を適用し、加熱コイルの外縁の保持台に、ねじ端子の構成として通常慣用される端子台を設けて、これに加熱コイルの両端末をねじ止めすることは、当業者が通常なし得たことといえる（なお、加熱コイルの保持台に端子台を設けることは、例えば特開平３−１１６６７８号公報等に示されるように当業者にとって格別の事項とはいえない。）。
　そしてそのように構成されるとき、左右の誘導加熱コイル７，８を制御するインバータユニット１０とは、当然、インバータユニット１０からのリード線が上記端子台で接続されるものといえる。
イ．一方、特開平１１−４０３３７号公報や特開平１１−２８１５２号公報には、誘導加熱調理器において、端子台である接続部に大きな電流が流れ、これが発熱すると、端子台とコイルリード線の端子との接触部に酸化被膜が形成されることにより、接触抵抗が大きくなり、経時変化で高温となる。そして、これを繰り返すとネジの緩みが発生し、更に接触抵抗が大きくなり、更に高温となるため、特に冷却が必要であって、接続部は６５℃に温度上昇し誘導加熱コイルは１４０℃近くまで温度上昇することや、効果的に冷却するように温度の低いものから順に配置すること、さらに端子台である接続部を冷却した風がその後に誘導加熱コイルを冷却することが示されているように、端子台を冷却しなければならないことは当業者が通常考慮することといえ、上記特開平１１−４０３３７号公報や特開平１１−２８１５２号公報には誘導加熱コイルより風上側に端子台である接続部を配置しているのであるから、これに倣って、引用発明１に引用発明２を適用するに際し、端子台を誘導加熱コイルの風上側に設けることも、当業者が必要に応じて適宜なし得た設計的事項といえる。
　そのように構成されるとき、引用発明１は、上記（１）で述べたように、冷却風を本体内部で略Ｕ字状に流すものであって、２個の誘導加熱コイル７，８並びに排気部及び吸気部も本願発明と同様に配置されるものであるから、当然、本願発明と同様の「排気部側加熱コイルの排気部側外形と、排気部外形の手前側の前記吸気部側コーナ部とを結ぶ線よりも、吸気部側の領域に前記中継端子台を配する構成と」なるものである。
ウ．ところで、引用発明２に関し、引用刊行物２には、コイル４の端部を支持部材の裏面側に引き出し、高周波変換装置３と電気的に接続し、ねじが支持部材の裏面側に位置しリード線を同時に締付けることができるので、組立時、点検時の作業性が向上することも記載されている。
　しかしながら、引用刊行物３には保持台の上面で加熱コイル（１）の口出し線（８）の端子（９）と回路基板（２）に接続される接続リード線（３）をハンダ付けした中継板（１１）をねじ止めする電磁調理器が示され、加熱コイルの両端末を支持台の上面より引き出すものも、例えば、特開平７−５７８６４号公報、特開昭６０−８６７９３号公報、実願昭５８−９３７４１号（実開昭６０−３５８２号）のマイクロフイルムや実公昭５６−２８７０６号公報等に示されるように従来周知であって上面から引き出すことも通常行われることといえ、また、同じ面で接続すべき線をねじ止めする端子台も一般に用いられるものであるから、加熱コイルの端末と回路ユニットからのリード線を保持台の上面でねじ止めするようになすことについても当業者が適宜なし得た設計的事項といえる。
　さらにいえば、作業性の向上についても、組立方法やその他の構成により裏面と上面のどちらが良いか変わることも当業者が予期し得ることであり、従来上面よりリード線を引き出すことが上記するように周知であるから、引用刊行物２に上記記載があるとしても、上面においてねじ止めするようなすことは当業者にとって適宜なし得た設計的事項といえる。また、例えば、実願平４−７３２９２号（実開平６−２６１４１号）のＣＤ−ＲＯＭには下面より貫通する線において上面でねじ止めすることが示されているように、裏面側の線であっても上面でねじ止めすることは通常なし得たことである。
　以上のようであるから、相違点Ｂに係る本願発明の発明特定事項についても、当業者が引用発明１、引用発明２、引用刊行物３に記載の事項及び上記周知の事項に基づいて当業者が容易に想到したものである。
　
　そして、本願発明の明細書に記載された効果についても、当業者が容易に予測し得たものといえる。
　
　よって、本願発明は、引用発明１、引用発明２、引用刊行物３に記載の事項及び上記周知の事項に基づいて、当業者が容易に発明をすることができたものといえる。
　
４．むすび
　以上のように、本願発明は、引用発明１、引用刊行物２及び３に記載の事項、及び周知の事項に基づいて当業者が容易に発明をすることができたものであるから、特許法第２９条第２項の規定により特許を受けることができない。
　よって、結論のとおり審決する。